(57)【要約】【課題】人手に頼ることなく、また空薬莢を収集するための特別な装備等を設けることなく発射弾数を常に正確に計数できるようにして、弾数管理の信頼性及び訓練効果の向上を図る。【解決手段】銃１に装着した発射弾数カウンタ２において、発射時の衝撃波形を衝撃センサ２１で検出し、この検出された衝撃波形から弾の発射を特定し、その回数を発射弾数としてカウント回路２５でカウントする。そして、この発射弾数のカウント値を使用者ＩＤ及び携行弾数と共にアダプタ装置３を介して制御装置４に送り、制御装置４において上記送られた各情報をもとに弾数管理簿を作成するようにしたものである。【選択図】      図２
2005156012.tif 000002
【特許請求の範囲】
【請求項１】
銃に装着される発射弾数カウンタであって、
発射時の衝撃、音、光、及び弾が銃口を通過する際に発生する衝撃波のうち少なくとも一つを検出する検出手段と、
前記検出手段による検出結果に基づいて発射弾数を計数する計数手段と
を具備することを特徴とする発射弾数カウンタ。
【発明の詳細な説明】
【技術分野】
【０００１】
この発明は、例えば銃の射撃訓練において発射弾数等を計数し管理するために使用する発射弾数カウンタに関する。
【背景技術】
【０００２】
日本では、拳銃やライフル銃等の銃の使用は厳しく規制されており、また射撃訓練等に使用する実弾数についても厳格な管理が要求されている。このため、警察や自衛隊等の射撃訓練においては、例えば射撃後の空薬莢数と未使用の弾数をそれぞれ人手により計数し、その計数値をもとに射撃に使用した弾数を管理するようにしている。
【０００３】
しかしながら、このような従来の管理方法は次のような問題点を有している。  
（１）空薬莢を計数するために、銃から排出される空薬莢を回収する装置が必要である。  
（２）空薬莢数と未使用弾数との和が配布弾数と一致しない場合に、使用弾数の確認を使用者の申告に頼らざるを得ないため弾数の管理が不正確になりやすい。  
（３）上記使用弾数の申告に際し、使用者が使用弾数を正確に記憶していない場合には、紛失した弾が射撃後の空薬莢であるのか又は実弾であるのかが確認できず、安全管理上問題がある。
（４）屋内の射撃場であれば空薬莢の計数を正確に行うことが可能であるが、屋外の射撃場では射撃後の空薬莢を紛失する可能性が高く、また紛失した場合の捜索も困難なことが多い。
【０００４】
すなわち、従来では射撃訓練において空薬莢を紛失しないようにするために、使用者の行動を規制したり、空薬莢が紛失しないようにするための特別な装備を銃に装着しなければならず、訓練効果に悪影響を与える。
一方、射撃訓練において弾数を自動計数するシステムも提案されている（例えば特許文献１を参照。）。しかし、この従来提案されているシステムは、標的への弾着数を自動計数して命中率等の射撃結果を速やかに得るためのものであり、標的への弾着数と発射弾数とは必ずしも一致しないため、このシステムにより実際に発射した弾数を正確に管理することは不可能である。
【０００５】
【特許文献１】特開平１１−１４２０９７号公報
【発明の開示】
【発明が解決しようとする課題】
【０００６】
以上述べたように、従来では射撃後の空薬莢数と未使用の弾数の計数及び管理を人手に頼っており、また空薬莢は紛失し易いため、使用弾数を正確に管理することが困難である。また、弾数を自動計数するシステムも提案されているが、標的への弾着数を自動計数するものであるため、このシステムを使用したとしても実際に発射した弾数を正確に管理することは困難である。
【０００７】
この発明は上記事情に着目してなされたもので、その目的とするところは、人手に頼ることなく、また空薬莢を収集するための特別な装備等を設けることなく、発射弾数を常に正確に計数できるようにし、これにより弾数管理の信頼性及び訓練効果の向上を可能にした発射弾数カウンタを提供することにある。
【課題を解決するための手段】
【０００８】
一般に、同一銃種を使用しかつ同一弾種を使用して射撃を行うと、銃では発射時に一定の衝撃、音、光、又は弾が銃口を通過する際の衝撃波が発生する。この発明は以上の点に着目し、銃に発射弾数カウンタを装着し、この発射弾数カウンタにより、発射時の衝撃、音、光、及び弾が銃口を通過する際に発生する衝撃波のうち少なくとも一つを検出し、この検出結果に基づいて発射弾数を計数するように構成したものである。
【０００９】
したがってこの発明によれば、銃において弾が発射されるごとにその発射弾数が確実に計数される。このため、空薬莢数及び未使用の弾数をそれぞれ人手により計数したり、また発射弾数を使用者自身が記憶する必要がなく、さらには空薬莢の紛失を防止するために特別な装備を銃に設ける必要もなく、発射弾数を常に簡単かつ正確に計数し管理することが可能となる。したがって、弾数管理の信頼性及び訓練効果のより一層の向上を図ることができる。
【００１０】
また、この発明に関連する具体的な構成として次のようなものが考えられる。
第１の構成は、発射弾数カウンタにおいて、発射時の衝撃を検出する場合に、衝撃の加速度レベルと、衝撃の継続時間と、衝撃の周波数とのうち少なくとも１つを検出するものである。このように構成すると、射撃により発生する衝撃を、その他の原因、例えば銃を何かにぶつけた場合に発生する衝撃と明確に区別してより正確に検出することが可能となる。
【００１１】
第２の構成は、発射弾数カウンタにおいて、少なくとも使用者の識別情報及び携行弾数を入力する入力手段と、発射弾数の計数結果を、上記入力された使用者の識別情報及び携行弾数と共に出力する出力手段とを備えるものである。このように構成すると、一丁の銃を複数の人が共用する場合でも、射撃終了後に発射弾数を使用者と対応付けて正確に管理することができる。また、発射弾数を携行弾数と対応付けることで残弾数の管理を容易に行えるようになる。
【００１２】
第３の構成は、発射弾数カウンタにおいて、上記入力手段により入力された携行弾数と上記計数された発射弾数とから残弾数を算出する手段をさらに具備し、この算出された残弾数を上記計数された発射弾数と、上記入力された使用者の識別情報及び携行弾数と共に、上記出力手段から出力するものである。このように構成すると、使用者または管理者は残弾数を自身で計算する必要がなくなり、これによりさらに正確な弾数管理が可能になる。
【００１３】
第４の構成は、発射弾数カウンタにおいて、銃種及び弾種を入力する手段と、この入力された銃種及び弾種に応じた検出しきい値を設定する手段とをさらに具備し、上記設定された検出条件に基づいて、発射時の衝撃、音、光、又は弾が銃口を通過する際に発生する衝撃波の検出を行うものである。このように構成することで、発射弾数カウンタを種類の異なる銃に装着した場合でも、また使用する弾の種類を変更した場合にも、発射弾数の正確な検出が可能となる。すなわち、１台の発射弾数カウンタを複数種類の銃及び複数種類の弾に使用することが可能となる。
【００１４】
第５の構成は、弾数管理システムに係わるもので、銃に装着される発射弾数カウンタと、この発射弾数カウンタに対し接続手段を介して接続可能な制御装置とを具備する。そして、上記発射弾数カウンタに、発射時の衝撃、音、光、及び弾が銃口を通過する際に発生する衝撃波のうち少なくとも一つを検出する検出手段と、この検出手段による検出結果に基づいて発射弾数を計数する計数手段とを備え、上記制御装置に、上記計数手段により計数された発射弾数を表す情報を上記発射弾数カウンタから上記接続手段を介して収集する手段と、収集された情報をもとに発射弾数及び残弾数を管理するための弾数管理簿を作成する手段とを備えるようにしたものである。  
このように構成すると、発射弾数の計数から弾数管理簿の作成までの一連の処理を自動的に行うことができる。
【発明の効果】
【００１５】
要するにこの発明によれば、銃に装着される発射弾数カウンタにより、発射時の衝撃、音、光、及び弾が銃口を通過する際に発生する衝撃波のうち少なくとも一つを検出し、この検出結果に基づいて発射弾数を計数するようにしたことによって、人手に頼ることなく、また空薬莢を収集するための特別な装備等を設けることなく、発射弾数を常に正確に計数できるようになり、これにより弾数管理の信頼性及び訓練効果の向上を可能にした発射弾数カウンタを提供することができる。
【発明を実施するための最良の形態】
【００１６】
図１は、この発明に係わる弾数管理システムの一実施形態を示す概略構成図であり、１は拳銃やライフル銃等の銃、２は発射弾数カウンタ、３はアダプタ装置、４は制御装置をそれぞれ示している。
銃１には、箱形又は板状をなす発射弾数カウンタ２が着脱自在に装着される。装着手段としては、例えば金具を用いた機械的な固定手段や、接着剤による固着手段または粘着テープ等を用いた貼着手段が使用可能である。また装着位置については、照準動作や射撃動作に支障が生じない位置であれば任意に選択可能である。
【００１７】
アダプタ装置３には複数のスロット３１，３１，…が設けてあり、これらのスロット３１，３１，…に上記発射弾数カウンタ２が着脱可能に装着される。アダプタ装置３は、制御装置４と上記発射弾数カウンタ２との間のインタフェース機能を有するもので、制御装置４の制御の下で上記発射弾数カウンタ２に対する情報の入出力を行う。また、発射弾数カウンタ２に内蔵されたバッテリを充電する機能も備える。
【００１８】
制御装置４は、例えばパーソナル・コンピュータからなり、上記アダプタ装置３に対し接続ケーブル５により接続される。制御装置４は、上記発射弾数カウンタ２に対し弾数計数動作に必要な情報を送信する制御機能と、上記発射弾数カウンタ２から計数結果を表す情報を収集する制御機能と、収集された情報をもとに弾数管理簿を作成する機能をそれぞれ実現するアプリケーション・プログラムを備える。なお、制御装置４とアダプタ装置３との間の接続手段としては、接続ケーブルの他に、光通信手段や無線通信手段を使用することが可能である。
【００１９】
ところで、上記発射弾数カウンタ２は次のように構成される。図２はその構成を示す機能ブロック図である。  
すなわち、発射弾数カウンタ２は衝撃センサ２１を備え、この衝撃センサ２１から出力された衝撃波形を表す信号はアナログ・ディジタル変換器（Ａ／Ｄ）２２によりディジタル信号に変換されたのち、衝撃波形検出回路２３に入力される。
【００２０】
衝撃波形検出回路２３は、上記入力された衝撃波形信号から衝撃の加速度レベル、加速度の変化回数、発生継続時間、周波数をそれぞれ検出する。そして、これらの検出値をしきい値設定回路２４において設定されたしきい値とそれぞれ比較し、その比較結果を表すカウントパルスをカウント回路２５に供給する。カウント回路２５は、上記衝撃波形検出回路２３から供給されたカウントパルスをカウントし、そのカウント値を発射弾数として制御回路２０へ出力する。
【００２１】
制御部２０は、条件入力制御部２０１と、しきい値制御部２０２と、表示・アラーム制御部２０３と、計測データ出力制御部２０４とを備えている。  
条件入力制御部２０１は、射撃開始に先立ち発射弾数カウンタ２がアダプタ装置３のスロット３１に装着された状態で、制御装置４から送信された計測条件を表す情報を、アダプタ装置３から入出力インタフェース（入出力Ｉ／Ｆ）２６を介して受信し保存する。計測条件を表す情報には、使用者識別情報（使用者ＩＤ）、携行弾数、銃種及び弾種を表す情報が含まれる。
【００２２】
しきい値制御部２０２は、複数の銃種及び弾種のすべての組み合わせに対応付けて予め設定されたしきい値を記憶したメモリテーブルを備えている。そして、上記条件入力制御部２０１において受信された計測条件を表す情報に含まれる銃種及び弾種をキーとして上記メモリテーブルから対応するしきい値を読み出し、この読み出されたしきい値を上記しきい値設定回路２４に設定する。
【００２３】
表示・アラーム制御部２０３は、上記カウント回路２５から出力される発射弾数のカウント値を表示器２７に表示する。またそれと共に、上記条件入力制御部２０１において受信された計測条件を表す情報に含まれる携行弾数と、上記カウント回路２５から出力される発射弾数のカウント値とから残弾数を算出し、この算出された残弾数の値を表示器２７に表示する。さらに、残弾数が予め設定した数値以下に減少した時点でスピーカ２８からアラーム音を発生させる。
【００２４】
計測データ出力制御部２０４は、射撃終了後に発射弾数カウンタ２がアダプタ装置３のスロット３１に装着された状態で、制御装置４から到来するデータ送信要求に従い、上記カウント回路２５によりカウントされた発射弾数の値と、上記表示・アラーム制御部２０３により算出された残弾数の値を、使用者ＩＤ及び携行弾数と共に入出力Ｉ／Ｆ２６からアダプタ装置３を介して制御装置４へ送信する。
【００２５】
一方、制御装置４は図３に示すように構成される。すなわち、制御装置４はマイクロプロセッサからなる中央演算処理ユニット（ＣＰＵ：Central Processing Unit）４０と、入出力インタフェース（入出力Ｉ／Ｆ）４１と、記憶部４２と、表示部４３と、キー入力部４４とを備える。このうちＣＰＵ４０は、記憶部４２に格納されたアプリケーション・プログラムに従い、射撃開始前に発射弾数カウンタ２に対し弾数計数動作に必要な計測条件を表す情報を送信すると共に、射撃終了後に発射弾数カウンタ２から計測データを収集する。また、収集された計測データをもとに弾数管理簿を作成する。
【００２６】
次に、以上のように構成された弾数管理システムの動作を運用手順に従って説明する。
（１）計測条件の設定  
射撃に先立ち銃の管理者は、発射弾数カウンタ２をアダプタ装置３のスロットの一つ３１に装着したのち、制御装置４において発射弾数を計数するために必要な計測条件を入力する。入力する計測条件は、使用者ＩＤと、携行弾数と、使用する銃種及び弾種（実弾であるか空包であるかの種別を含む）を表す情報からなる。
【００２７】
上記計測条件の入力後に、制御装置４において当該計測条件の送信操作を行うと、上記入力された計測条件が接続ケーブル５を介してアダプタ装置３に送られ、このアダプタ装置３から発射弾数カウンタ２に入力される。発射弾数カウンタ２は、上記計測条件を入出力Ｉ／Ｆ２６を介して制御回路２０の条件入力制御部２０１に取り込み、保存する。
【００２８】
また発射弾数カウンタ２は、上記取り込まれた計測条件のうち銃種及び弾種を表す情報を条件入力制御部２０１からしきい値判定部２０２に入力する。しきい値判定部２０２は、上記入力された銃種及び弾種を表す情報をキーとしてメモリテーブルをアクセスし、これにより上記入力された銃種及び弾種に対応するしきい値を読み出してしきい値設定回路２４に供給する。かくして、使用する銃種及び弾種に対応した最適な判定しきい値が設定される。
【００２９】
（２）発射弾数カウンタ２の装着と射撃訓練  
上記発射弾数カウンタ２に対する計測条件の設定が終了すると管理者は、銃の使用者（訓練者）に当該発射弾数カウンタ２及び実弾を配布する。使用者は、上記配布された発射弾数カウンタ２を指定された銃に装着し、射撃を開始する。
【００３０】
射撃が行われると、実弾の発射時に発生する衝撃が発射弾数カウンタ２の衝撃センサ２１により検出され、検出された衝撃波形がＡ／Ｄ２２によりディジタル信号に変換されたのち衝撃波形検出回路２３に入力される。衝撃波形検出回路２３では、上記入力された衝撃波形から加速度レベル、加速度の変化回数、発生継続時間、周波数がそれぞれ検出され、これらの検出値がしきい値設定回路２４に設定されたしきい値とそれぞれ比較されて、発射の有無が判定される。
【００３１】
例えば、図４に示すような衝撃波形が得られたとすると、この衝撃波形の各波形の振幅レベルが加速度レベルとして検出され、しきい値ａ，ａ′と比較される。そして、振幅レベルがしきい値ａ，ａ′を超えていた場合に、加速度レベル及び加速度の変化回数が判定条件を満足したことを表すカウントパルスＰａ，Ｐａ′が生成されて、カウント回路２５へ出力される。
【００３２】
また、衝撃波形の各波形の発生時間がそれぞれ計測され、この計測された発生時間がしきい値ｂ，ｂ１，ｂ２とそれぞれ比較される。そして、計測された発生時間がしきい値ｂ，ｂ１，ｂ２と一定の誤差の範囲内で一致すると、衝撃の発生継続時間と周波数が判定条件を満足したことを表すカウントパルスＰｂ，Ｐｂ１，Ｐｂ２が生成されてカウント回路２５へ出力される。
【００３３】
カウント回路２５は、上記衝撃波形検出回路２３からカウントパルスＰａ，Ｐａ′が到来し、さらにカウントパルスＰｂ，Ｐｂ１，Ｐｂ２が到来すると、発射が１回行われたと判断して発射弾数のカウント値をカウントアップする。すなわち、最初の衝撃波形の加速度レベルがしきい値ａを超え、かつ二番目の衝撃波形の加速度レベルがしきい値ａ′を超えて加速度の変化回数が２回となり、さらに衝撃の発生継続時間が判定条件ｂを満たすと共に周波数が判定条件（ｂ＋ｂ１＋ｂ２）を満足した場合に、発射が１回行われたものと判定されてカウント値が１回カウントアップされる。上記発射弾数のカウント値は、制御回路２０の表示・アラーム制御部２０３と、計測データ出力制御部２０４にそれぞれ通知される。
以後同様に、弾が発射されるごとに上記衝撃の検出と判定、及び発射弾数のカウントアップが行われる。
【００３４】
また、以上の射撃訓練中に発射弾数カウンタ２では、表示・アラーム制御部２０３により発射弾数及び残弾数の表示とアラームの発生制御が行われる。すなわち、表示・アラーム制御部２０３では、カウント回路２５から通知される発射弾数のカウント値がカウントアップされるごとに、このカウント値と予め入力された携行弾数とから残弾数が算出される。そして、上記発射弾数のカウント値及び上記算出された残弾数の値が表示器２７に表示される。さらに、上記算出された残弾数の値が予め設定した数値以下に減少した時点で、スピーカ２８からアラーム音が発生される。したがって使用者は、射撃中に発射弾数及び残弾数を逐次確認することが可能となる。また、残弾数を意識していなくても射撃終了を認識することが可能となる。
【００３５】
（３）射撃訓練終了後の処理  
射撃訓練が終了すると、使用者は発射弾数カウンタ２を銃１から取り外して管理者に手渡す。管理者は、手渡された発射弾数カウンタ２をアダプタ装置３のスロット３１に装着したのち、制御装置４において発射弾数カウンタ２から計測データを収集するための操作を行う。そうすると、制御装置４からアダプタ装置３の各スロットに対し例えばポーリングによりデータ送信要求が送られ、このデータ送信要求はスロット３１に装着された発射弾数カウンタ２に転送される。
【００３６】
発射弾数カウンタ２は、上記データ送信要求が到来すると、この要求に従い計測データ出力制御部２０４が、カウント回路２５及び表示・アラーム制御部２０３からそれぞれ、発射弾数のカウント値及び算出された残弾数の値を読み出す。そして、この読み出された発射弾数のカウント値及び算出された残弾数の値を、射撃開始前に入力された使用者ＩＤ及び携行弾数と共に、入出力Ｉ／Ｆ２６からアダプタ装置３を介して制御装置４へ送信する。
【００３７】
制御装置４は、上記発射弾数カウンタ２から送られた計測データ、つまり発射弾数のカウント値、残弾数の値、使用者ＩＤ及び携行弾数の値を受信して記憶部４２に記憶すると共に、表示部４３に表示する。したがって、管理者はこの表示された計測データから発射弾数及び残弾数を確認することが可能となる。
【００３８】
また制御装置４は、上記記憶された計測データをもとに任意のタイミングで弾数管理簿を作成し記憶部４２に記憶する。この弾数管理簿は、管理者の表示要求により読み出されて表示部４３に表示される。また、キー入力部４４における管理簿出力操作により、上記弾数管理簿は図示しないプリンタにおいてプリントアウトしたり、さらに磁気ディスクや光ディスク、メモリカード等の外部記録媒体に記録することも可能である。
【００３９】
以上述べたようにこの実施形態では、銃１に装着した発射弾数カウンタ２において、発射時の衝撃波形を衝撃センサ２１で検出し、この検出された衝撃波形から弾の発射を特定し、その回数を発射弾数としてカウント回路２５でカウントする。そして、この発射弾数のカウント値を使用者ＩＤ及び携行弾数と共にアダプタ装置３を介して制御装置４に送り、制御装置４において上記送られた各情報をもとに弾数管理簿を作成するようにしている。
【００４０】
したがって、銃１において弾が発射されるごとにその発射弾数を確実にカウントすることができる。このため、空薬莢数及び未使用の弾数をそれぞれ人手によりカウントしたり、また発射弾数を使用者自身が記憶することなく、さらには空薬莢の紛失を防止するために特別な装備を銃に設けることもなく、発射弾数を使用者ごとに簡単かつ正確にカウントし管理することが可能となる。したがって、弾数管理の信頼性及び訓練効果をさらに高めることができる。
【００４１】
また、衝撃センサ２１により検出された衝撃波形から衝撃の加速度レベル、加速度の変化回数、発生継続時間及び周波数をそれぞれ検出し、これらをしきい値と比較することにより弾の発射を特定するようにしている。このため、射撃により発生する衝撃を、その他の原因、例えば銃を何かにぶつけた場合に発生する衝撃と明確に区別してより正確に検出することができる。
【００４２】
さらに、射撃に先立ち銃種及び弾種を入力して、この入力された銃種及び弾種に応じたしきい値を設定するようにしている。このため、発射弾数カウンタ２を種類の異なる銃に装着した場合でも、また使用する弾の種類を変更した場合にも、弾の発射を正確に特定することが可能となる。
【００４３】
さらに、カウント回路２５から出力される発射弾数のカウント値を表示器２７に表示すると共に、当該発射弾数のカウント値と携行弾数とから残弾数を算出してこの算出された残弾数を表示器２７に表示するようにしている。したがって、使用者は射撃中に発射弾数及び残弾数を逐次確認することが可能となる。また、残弾数が予め設定した数値以下に減少した時点でスピーカ２８からアラーム音を発生させるようにしているので、使用者は射撃終了を確実に認識することができる。
【００４４】
さらに、計測データを発射弾数カウンタ２からアダプタ装置３を介して制御装置４に送り、制御装置４において上記送られた各情報をもとに弾数管理簿を作成するようにしているので、発射弾数の計数から弾数管理簿の作成までの一連の処理を自動的に行うことができる。
【００４５】
なお、この発明は上記実施形態に限定されるものではない。例えば、前記実施形態では衝撃波形の加速度レベル、加速度の変化回数、発生継続時間及び周波数がいずれも条件を満足した場合に、発射が１回行われたものと判断してカウント値をカウントアップするようにした。しかし、それに限らず衝撃波形の加速度レベル、加速度の変化回数、発生継続時間及び周波数のいずれか一つが条件を満足した場合、或いは任意の２つまたは３つの組み合わせが条件を満足した場合に、発射が１回行われたものと判断してカウント値をカウントアップするようにしてもよい。
【００４６】
また、前記実施形態では発射時に発生する衝撃を検出して発射弾数をカウントする場合を例にとって説明した。しかし、それに限るものではなく、例えば図５に示すように銃口近傍に発射時の発音、発光或いは弾が銃口を通過する際に発生する衝撃波を検出するためのセンサ７を取着する。そして、このセンサ７による検出信号をセンサ接続ケーブル８を介して発射弾数カウンタ本体６に入力し、発射弾数カウンタ本体６において上記入力された検出信号から発音、発光或いは衝撃波のレベルや発生継続時間、周波数を検出してしきい値と比較することにより発射弾数をカウントするように構成してもよい。  
さらに、上記衝撃、発音、発光或いは弾が銃口を通過する際に発生する衝撃波を任意の組み合わせで複数検出し、その検出結果に基づいて発射弾数をカウントするように構成してもよい。
【００４７】
また、前記実施形態では発射弾数カウンタ２又は発射弾数カウンタ本体６と制御装置４との間における情報の授受をアダプタ装置３及び接続ケーブル５を介して行うようにしたが、発射弾数カウンタ２又は発射弾数カウンタ本体６と制御装置４との間を光通信手段や無線通信手段を使用して直接接続するようにしてもよい。無線通信手段を使用する場合には、例えばBluetooth（商標）等の小電力データ伝送手段が有効である。他には、無線ＬＡＮ（Local Area Network）や構内ＰＨＳ（Personal Handyphone System）等が使用可能である。
【００４８】
さらに、前記実施形態では銃に対し発射弾数カウンタを着脱可能に装着するようにしたが、固定的に装着するようにしてもよい。この場合の情報入出力手段としては、上記したように発射弾数カウンタと制御装置との間を接続ケーブル、光通信手段又は無線通信手段により直接接続することにより実現可能である。
【００４９】
その他、発射弾数カウンタの形状及び構成とその機能、銃に対する発射弾数カウンタの装着位置とその装着手段、弾数管理システムの構成とその機能、制御装置の機能等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５０】
【図１】この発明に係わる弾数管理システムの一実施形態を示す概略構成図。
【図２】図１に示した弾数管理システムの主要部をなす発射弾数カウンタの構成を示す機能ブロック図。
【図３】図１に示した弾数管理システムの制御装置の構成を示すブロック図。
【図４】発射時に検出される衝撃波形の一例を示す図。
【図５】この発明に係わる発射弾数カウンタの他の実施形態を示す図。
【符号の説明】
【００５１】
１…銃、２…発射弾数カウンタ、３…アダプタ装置、４…制御装置、５…接続ケーブル、６…発射弾数カウンタ本体、７…センタ、８…センサ接続ケーブル、２０…制御部、２１…衝撃センサ、２２…アナログ・ディジタル変換器（Ａ／Ｄ）、２３…衝撃波形検出回路、２４…しきい値設定回路、２５…カウント回路、２６，４１…入出力インタフェース（入出力Ｉ／Ｆ）、２７…表示器、２８…スピーカ、４０…ＣＰＵ、４２…記憶部、４３…表示部、４４…キー入力部、２０１…条件入力制御部、２０２…しきい値制御部、２０３…表示・アラーム制御部、２０４…計測データ出力制御部。
【図１】
2005156012.tif 000003
【図２】
2005156012.tif 000004
【図３】
2005156012.tif 000005
【図４】
2005156012.tif 000006
【図５】
2005156012.tif 000007